(57)【要約】      （修正有）【課題】芝生の穴あけ機であって、早く、きれいに楽に芝生の穴あけ作業ができる土回収器付芝生の穴あけ機を提供する。【解決手段】芝生の穴あけ機本体１の刃（タイン）２の先端直近に土回収器付芝生押え板金３を設け、これを支持するシャフト４をナット６にて接続する。更に、シャフト４には、スプリング５を通し、ボルト８にてシャフト４の定位置に維持させる。このシャフト４を、芝生の穴あけ機本体１の中に内蔵して、小ボルト７にて定位置に、固定させずに保持する。【選択図】図１
0003156448.tif 000002
【実用新案登録請求の範囲】
【請求項１】
芝生の穴あけ機本体（１）の中に、スプリング支持金（８）でスプリング（５）を維持したシャフト（４）を小ボルト（７）にて固定させずに内蔵させ、更に刃（タイン）（２）の先端直近には、土回収器付芝生押え板金（３）を設け、このシャフト（４）と土回収器付芝生押え板金（３）は、ナット（６）にて接続させる。
芝生の穴あけ機本体（１）を上から手で押した場合、スプリング（５）の反発力を利用して、刃（タイン）（２）の上下を、刃（タイン）通し穴（９）を通して土回収器付芝生押え板金（３）が上下することのできる土回収器付芝生の穴あけ機。
【考案の詳細な説明】
【技術分野】
【０００１】  この考案は、芝生の根が張りすぎて、古い根が土中で根詰まりとなり、踏み固められて、固くなった土壌に穴をあけ、酸素や水分・養分を行き渡らせ、土壌改良を行い芝生の育成を助ける為に行う芝生の根切や穴開け作業を、早く、楽に、きれいに仕上げるために使用する芝生の穴あけ機に関するものである。
【背景技術】
【０００２】  従来の芝生の穴あけ機の刃（タイン）を土中に差し込んで、引き抜くと、タインから排出された土が、芝生一面にばらまかれたままとなり、この土の除去は余分な作業であった。また、土の露出や芝が盛り上がって、きれいに穴あけができない欠点があった。
芝生に刺し込んだ穴あけ機の刃（タイン）を、引き抜く労力も、これを何度も繰り返す作業の為、その都度、大きな労力を要し、時間もかかり、大変な作業であった。
【考案の概要】
【考案が解決しようとする課題】
【０００３】      これには次のような欠点があった。
（イ）穴あけ機の刃（タイン）を、芝生の土壌に、刺し込んで引き抜くとき、タインから排出された土が、芝生一面にまかれてしまい、余分な土の除去作業を行った。
更に、引き抜きと同時に土が芝生面に露出したり盛り上がりができてしまった。
（ロ）土中に刺し込んだ穴あけ機の刃（タイン）の引き抜きに力を要していた。
これを何回も繰り返す作業なので、大きな労力を要していた。
【課題を解決する為の手段】
【０００４】  芝生の穴開け機本体（１）の刃（タイン）（２）の先端直近に土回収器付芝生押え板金（３）を配置して、これを支持するシャフト（４）をナット（６）にて接続する。更にシャフト（４）には、スプリング（５）を通し、スプリング支持金（８）にてスプリング（５）をシャフト（４）の定位置に維持する。
これを、芝生の穴あけ機本体（１）の中に内蔵して小ボルト（７）にて定位置を固定させずに維持させる。
本考案は、以上の構成よりなる土回収器付芝生の穴開け機である。
【考案の効果】
【０００５】  本考案を使用する事で、芝生の表面に、刃（タイン）を刺し込んで、引抜く時に、スプリングの反発力が加わるため、少しの力を添えるだけで、引き抜けて、更に土回収器付芝生押え板金で芝生を押えながら、刃（タイン）を引き抜く為、芝生の表面に土が露出せず、刃（タイン）から排出された土は、土回収器の中に、回収されるため、今までのように撒き散らかされた土を回収する作業はなくなり、早く、きれいに、楽に芝生の穴あけ作業ができる。
これらの連続的な作業には、スプリングの反発力と、土回収器付芝生押え板金が大きな効果として作用し、作業時間を短く、今までのような力を要せず行える。
【図面の簡単な説明】
【０００６】
【図１】本考案の斜視図
【図２】本考案を作動させた状態の斜視図
【考案を実施するための形態】
【０００７】（イ）芝生の穴あけ機本体（１）から出ている刃（タイン）（２）の先端直近に土回収器付芝生押え板金（３）を配置する。これをシャフト（４）に連結して、土回収器付芝生押え板金（３）の位置を支持する。
（ロ）シャフト（４）には、プリング（５）を通し、スプリング支持金（８）を、その上下に設けて、プリング（５）の位置を維持する。
（ハ）芝生の穴あけ機本体（１）には、小ボルト（７）を取付けて、スプリング（５）を通したシャフト（４）の位置を固定させずに維持させる
（ニ）土回収器付芝生押え板金（３）は、刃（タイン）（２）の部分を通すように、刃（タイン）通し穴（９）を設け、スプリング（５）の伸縮に伴い、土回収器付芝生押え板金（３）は、刃（タイン）（２）の部分を上下に作動する。
本考案は、以上の構成よりなる。
本考案を使用する場合、芝生及び土中に、刃（タイン）（２）の部分を刺し込み、引き抜く場合は、スプリング（５）の反発力が加わるので、引抜く力は、少し加えるだけで容易に引き抜ける。
また、その時、スプリングの反発力により土回収器付芝生押え板金（３）が、芝生とその下の表土を押えつけるので、刃（タイン）（２）を引き抜く時に芝生がもちあがらず、また、刃（タイン）（２）から排出された土は、土回収器に集められる為に芝生一面に土を撒き散らかすのを防げた。
何度も繰り返す作業だが、本考案を使用すれば、刃（タイン）（２）により、掘り出され、排出された土の除去作業の必要はなく、早く、きれいに、楽に仕上る。
【実施例】
【０００８】  踏み固められた芝生部分や古い芝生で根が詰まって通気性が悪くなった状態の芝生は、生育が悪くなるだけでなく、枯れてしまう場合が多い。
この為、本考案を使用して、酸素や水分・養分を行き届かせて、土壌改良をすることにより表土が柔らかくなり、芝生の成長を促すことができる。
踏み固められた芝生の土壌や、根詰まりとなった芝生の穴あけ作業に大きな効果がある。
本考案を使用すれば、刃（タイン）により、掘り出され、排出された土の除去作業の必要はなく、土回収器に溜まった土は、他の容器に捨てられる。
更に、刃（タイン）の引き抜きには、スプリングの反発力の効果により、軽く引き抜ける何度も同じサイクルで行うこの作業が、これらの効果により、短時間に、きれいに、楽に行える。
【産業上の利用可能性】
【０００９】  家庭の芝生庭園や公園、サッカー場、ゴルフ場、ホテルや料亭の芝生庭園等で大型機械乗り入れによる芝生の穴あけ作業（エアレーション）が出来ないような狭い芝生領域に利用できる。
従来の芝生の穴あけ機よりもはるかに、作業時間が短く、楽に、きれいに仕上げることが出来る。
【符号の説明】
【００１０】（１）芝生の穴あけ機本体
（２）刃（タイン）
（３）土回収器付芝生押え板金
（４）シャフト
（５）スプリング
（６）ナット
（７）小ボルト
（８）スプリング支持金
（９）刃（タイン）通し穴
【図１】
0003156448.tif 000003
【図２】
0003156448.tif 000004
【手続補正書】
【提出日】平成21年10月7日(2009.10.7)
【手続補正１】
【補正対象書類名】実用新案登録請求の範囲
【補正対象項目名】請求項１
【補正方法】変更
【補正の内容】
【請求項１】
芝生の穴あけ機本体（１）の中に、スプリング支持金（８）でスプリング（５）を維持したシャフト（４）を小ボルト（７）にて固定させずに内蔵させ、更に刃（タイン）（２）の先端直近には、土回収器付芝生押え板金（３）を設け、このシャフト（４）と土回収器付芝生押え板金（３）は、ナット（６）にて接続させ、芝生の穴あけ機本体（１）を上から手で押した場合、スプリング（５）の反発力を利用して、刃（タイン）（２）の上下を、刃（タイン）通し穴（９）を通して土回収器付芝生押え板金（３）が上下することのできる土回収器付芝生の穴あけ機。